(57)【要約】【課題】既存電話番号体系によらない空き番号を用いた発信によりユーザ端末を所定通信先にアクセスさせる移動体通信システムを提供する。【解決手段】移動体通信システムに、既存電話番号体系によらない所定桁数の所定電話番号と着信を受けた際にユーザ端末にアクセスさせる任意のアドレスと を対応付けて記録したデータベースと、所定桁数の所定電話番号を受けて データベースに記録されている該所定電話番号に対応したアドレスをユーザ端末に通知する管理サーバと、ユーザ端末からの発信を識別した際に 所定桁数の所定電話番号への着信であったならば 管理サーバに該着信を通知する移動体通信システムの交換システムと、を含み、この管理サーバは、交換システムから受け付けた所定桁数の所定電話番号への着信の通知を識別した際に、該所定電話番号に対応付けられたアドレスをデータベースから抽出し、そのアドレスをユーザ端末に通知する。【選択図】図１
2017224921.tif 000002
【特許請求の範囲】
【請求項１】
既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースと、
前記所定桁数の所定電話番号を受けて、前記データベースに記録されている該所定電話番号に対応したアドレスをユーザ端末に通知する管理サーバと、
ユーザ端末からの発信を識別した際に、前記所定桁数の所定電話番号への着信であったならば、前記管理サーバに該着信を通知する移動体通信システムの交換システムと、
を含み、
前記管理サーバは、前記交換システムから受け付けた所定桁数の所定電話番号への着信の通知を識別した際に、該所定桁数の所定電話番号に対応付けられたアドレスを前記データベースから抽出し、抽出したアドレスを前記ユーザ端末に通知する
ことを特徴とする移動体通信システム。
【請求項２】
前記ユーザ端末は、任意の移動体通信事業者が提供する所定桁数の所定電話番号による任意のアドレスを通知するサービス に向けて発信する発信手段を具備し、
前記発信手段は、
ユーザから所定桁数の所定電話番号による発信操作を受け付けた際に、該ユーザ端末の使用する事業者コードを識別して、識別した事業者コードが前記任意の移動体通信事業者の事業者コードであれば、所定桁数の所定電話番号による発信を実行する一方、
識別した事業者コードが前記任意の移動体通信事業者の事業者コードと異なれば、入力された所定桁数の所定電話番号を 予め定めたプレフィックス用いて 既存電話番号体系に桁合わせして発信を実行する
ことを特徴とする請求項１記載の移動体通信システム。
【請求項３】
前記交換システムは、ＳＩＰサーバによって、前記所定桁数の所定電話番号への発信を識別し、前記所定桁数の所定電話番号への着信であったならば、前記管理サーバに該着信を通知することを特徴とする請求項１又は２に記載の移動体通信システム。
【請求項４】
前記管理サーバは、前記交換システムから受け付けた所定桁数の所定電話番号への着信の通知を識別した際に 識別した着信の発信ユーザ端末の加入者情報を参照して 所定条件を満たした場合に、該発信ユーザ端末に前記所定電話番号に対応付けられたアドレスを通知することを特徴とする請求項１ないし３の何れか一項に記載の移動体通信システム。
【請求項５】
前記管理サーバは、前記交換システムから受け付けた所定桁数の所定電話番号への着信の通知を識別した際に 識別した着信の発信ユーザ端末の事業者コード及び在圏エリアを参照して 所定条件毎に、該発信ユーザ端末に前記所定電話番号に対応付けられたアドレスを通知することを特徴とする請求項１ないし４の何れか一項に記載の移動体通信システム。
【請求項６】
前記所定桁数の所定電話番号は、先頭に数値“１”を含まない３桁、若しくは、４桁の番号、若しくは、先頭に記号“＃”を含まない５桁であることを特徴とする請求項１ないし５の何れか一項に記載の移動体通信システム。
【請求項７】
前記交換システムは、任意のユーザ端末からの前記所定桁数の所定電話番号によるコンテンツ要求に対して、アクセス先を折り返した後に、該ユーザ端末からの通知したアクセス先への接続要求を識別した場合、前記管理サーバに該アクセスを通知することを特徴とする請求項１ないし６の何れか一項に記載の移動体通信システム。
【請求項８】
前記ユーザ端末は、前記事業者コードを予め前記交換システム若しくはＳＩＭから取得することを特徴とする請求項２に記載の移動体通信システム。
【請求項９】
移動体通信サービスの提供を受けるユーザ端末からの発信を識別した際に既存電話番号体系によらない所定桁数の所定電話番号への着信であったならば該着信を通知する移動体通信システムの交換システム から受け付けた所定桁数の所定電話番号への着信の通知を識別した際に、
前記ユーザ端末に、所定桁数の所定電話番号と ユーザ端末から着信を受けた際に当該ユーザ端末にアクセスさせる任意の１ないし複数のアドレスと を対応付けて記録したデータベースを参照して、該当所定桁数の所定電話番号に対応付けられたアドレスの何れかを前記データベースから抽出し、発信ユーザ端末に抽出したアドレスを通知する
ことを特徴とする管理サーバ。
【請求項１０】
既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースを具備する ユーザ端末に移動体通信サービスを提供する移動体通信システムで実行され、
前記移動体通信システムの交換システムは、ユーザ端末からの発信を識別した際に、前記所定桁数の所定電話番号への着信であったならば、前記データベースに記録されている任意のアドレスを該当ユーザ端末に通知する管理サーバに該着信を通知し、
前記管理サーバは、前記交換システムから受け付けた所定桁数の所定電話番号への着信の通知を識別した際に、該所定桁数の所定電話番号に対応付けられたアドレスを前記データベースから抽出し、発信ユーザ端末に抽出したアドレスを通知する
ことを特徴とする移動体通信システムの制御方法。
【発明の詳細な説明】
【技術分野】
【０００１】
本発明は、ユーザ端末に移動体通信サービスを提供する移動体通信システムに関する。
【背景技術】
【０００２】
昨今、移動体通信サービスを利用する多くのユーザ端末（代表的にはスマートフォン）は、通話機能（発呼機能）と共にブラウザ（データ通信機能）を有している。多くのユーザは、その好みに応じたユーザ端末を用いて、移動体通信サービスを利用して 様々な情報を取得している。
【０００３】
ユーザは、ユーザ端末によるブラウジングする際に、一般に検索ワードを検索枠に入力して所望サイトにアクセスしている。また、ユーザは、ユーザ端末からＵＲＬ（Uniform Resource Locator）を入力して所望サイトに直接的にアクセスできる。また同様な手法で、ＦＴＰサーバ（File Transfer Protocol Server）などからファイルデータなどを取得することも可能である。
【０００４】
一方、検索ワードによる所望サイト検索には曖昧性が伴う。もう一方のＵＲＬをユーザ端末に入力する操作は利用者にとって入力負担が大きい。ユーザがアクセスしたい対象が明確であれば何れの操作にも改善の余地がある。
【０００５】
このような問題を解決する一手法として、ユーザ端末からの電話番号の発呼によって、ユーザ端末を所望サイト（所望ＵＲＬ）にアクセスさせる技術が幾つかある。
【０００６】
例えば、特許文献１には、予め所定電話番号とＵＲＬとを紐付けたテーブル情報を有する電話サーバを準備して、ユーザ端末からの所定電話番号への発呼に対して、受呼した電話サーバがＵＲＬを（音声回線（回線交換網）を介して）通知する仕組みが開示されている。この仕組みによれば、ユーザ端末が、電話番号を用いて、インターネット上の所定ホームページにアクセス可能になる。なお、当該文献に記載されている電話サーバは、移動体通信システムの外に据え付けられている。また、当該文献の移動体通信システムは、特別な動作を行わずに、ユーザ端末と電話サーバ（より正確にはＰＳＴＮ（Public Switched Telephone Network））とを回線交換方式で接続するのみである。この開示された技術には改善点が幾つかあるもののその一つとしては、ＵＲＬを細分化するには電話サーバの回線数（電話番号，加入者回線）が多数必要である点が挙げられる。
【０００７】
同様な技術は、特許文献２にも開示されている。特許文献２に開示されているシステムは、特許文献１と同様にＰＳＴＮを介して当該文献のシステムに電話することで、電話番号に対応付いたＵＲＬをＳＭＳ（Short Message Service）経由でユーザ端末に折り返してくれる。
【０００８】
また、特許文献３には、ユーザがユーザ端末を介して所定電話番号に電話すると、電話システムが電話を受け付けて、予め電話番号に対応付けられているＷｅｂページのアドレスをユーザ端末にＳＭＳを介して通知する移動体通信システムが開示されている。また、この移動体電話システムでは、ユーザ端末は、ＳＭＳで所定フォーマットのメッセージを受信した際に、そのメッセージに組込まれたＷｅｂページのアドレスを自動的にブラウザで表示することも開示されている。このように、移動体通信システム内にＵＲＬを折り返す管理サーバを設けることは、安全性などの面で有益である。
【０００９】
また、ユーザ端末でＵＲＬを知るための仕組みとして、所定メール先への電子メール送付により、電子メールサーバからの折り返しメールを用いることも多く用いられている（いわゆる空メール）。また、上記電子メールやＳＭＳなどと同種の手法として、ＭＭＳ（Multimedia Messaging Service）や、任意アプリケーション搭載のメッセージ機能、ＯＳ（Operating system）搭載のメッセージ機能などもＵＲＬの折り返しに使用できる。
【先行技術文献】
【特許文献】
【００１０】
【特許文献１】特開２００３−０７６６５８号公報
【特許文献２】特開２００４−２８９４０８号公報
【特許文献３】特開２０１４−１６５７４１号公報
【発明の概要】
【発明が解決しようとする課題】
【００１１】
上記例示した先行技術文献で開示されているように、ユーザ端末から所定電話番号に電話することで、所定電話番号に予め対応付けられていたＵＲＬをユーザ端末で取得することができる。また、そのＵＲＬをユーザ端末に組み込んだプログラム（アプリやモジュール）によって自動的に画面に表示する利便性の高い仕組みも幾つか開示されている。
【００１２】
ところで、上記先行技術文献で用いられている電話番号は、既存電話番号体系に則っている。すなわち、既設の移動体通信電話網や既設のＰＳＴＮが正常に動作する既知の電話番号体系である。この番号体系では、１ＸＹ特番のように３桁の電話番号を含むものの、基本的には１０桁程度の数字の羅列を用いる。また、特定サービス用に電話番号にプレフィックスを付与することとすれば更に電話番号の桁数が増加する。
【００１３】
本発明者は、ＵＲＬ等のアドレスを得るために用いる電話番号の桁数を減らしたり、必要に応じては増やしたりする仕組みを検討した。 
この仕組みを設けることで、移動体通信網を使用するユーザ端末からＳＭＳ送信や電話（発呼）等によるパケット網を介した所定接続先へのアクセスの利便性を飛躍的に高める。このサービスを利用するユーザは、例えば１ＸＹ特番に用いられていない３桁の空き番号や４桁の番号などを発呼することで、所望情報にアクセス可能になる。
【００１４】
本発明は、上記背景の下でなされており、既存電話番号体系によらない空き番号を用いた発信によりユーザ端末を所定通信先にアクセスさせる移動体通信サービスを実現する移動体通信システムの提供を目的とする。
【課題を解決するための手段】
【００１５】
本発明の一実施形態に係る移動体通信システムは、既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースと、前記所定桁数の所定電話番号を受けて、前記データベースに記録されている該所定電話番号に対応したアドレスをユーザ端末に通知する管理サーバと、ユーザ端末からの発信を識別した際に、前記所定桁数の所定電話番号への着信であったならば、前記管理サーバに該着信を通知する移動体通信システムの交換システムと、を含み、前記管理サーバは、前記交換システムから受け付けた所定桁数の所定電話番号への着信の通知を識別した際に、該所定桁数の所定電話番号に対応付けられたアドレスを前記データベースから抽出し、抽出したアドレスを前記ユーザ端末に通知することを特徴とする。
【００１６】
本発明の一実施形態に係る管理サーバは、移動体通信サービスの提供を受けるユーザ端末からの発信を識別した際に既存電話番号体系によらない所定桁数の所定電話番号への着信であったならば該着信を通知する移動体通信システムの交換システム から受け付けた所定桁数の所定電話番号への着信の通知を識別した際に、前記ユーザ端末に、所定桁数の所定電話番号と ユーザ端末から着信を受けた際に当該ユーザ端末にアクセスさせる任意の１ないし複数のアドレスと を対応付けて記録したデータベースを参照して、該当所定桁数の所定電話番号に対応付けられたアドレスの何れかを前記データベースから抽出し、発信ユーザ端末に抽出したアドレスを通知することを特徴とする。
【００１７】
本発明の一実施形態に係る移動体通信システムの制御方法は、既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースを具備する ユーザ端末に移動体通信サービスを提供する移動体通信システムで実行され、前記移動体通信システムの交換システムは、ユーザ端末からの発信を識別した際に、前記所定桁数の所定電話番号への着信であったならば、前記データベースに記録されている任意のアドレスを該当ユーザ端末に通知する管理サーバに該着信を通知し、前記管理サーバは、前記交換システムから受け付けた所定桁数の所定電話番号への着信の通知を識別した際に、該所定桁数の所定電話番号に対応付けられたアドレスを前記データベースから抽出し、発信ユーザ端末に抽出したアドレスを通知することを特徴とする。
【発明の効果】
【００１８】
本発明によれば、既存電話番号体系によらない空き番号を用いた発信によりユーザ端末を所定通信先にアクセスさせる移動体通信サービスを実現する移動体通信システムを提供できる。
【図面の簡単な説明】
【００１９】
【図１】本発明に係る第１の実施形態の移動体通信システム１の概略を示すブロック図である。
【図２】本発明に係る第１の実施形態の移動体通信システム１等の動作例を示すシーケンス図である。
【図３】事業者電話番号ＤＢサーバ３０に準備されるデータベース例を可視的に示した説明図である。
【図４】小桁電話番号による広告サイトへの誘導を例示した説明図である。
【図５】小桁電話番号による広告サイトへの誘導を例示した別の説明図である。
【図６】第２の実施形態の移動体通信網の概略を示すブロック図である。
【図７】第２の実施形態の移動体通信網における移動体通信システム１等の動作例を示すシーケンス図である。
【図８】第２の実施形態の移動体通信網における小桁電話番号による広告サイトへの誘導を例示した説明図である。
【発明を実施するための形態】
【００２０】
以下、本発明の実施形態を図面に基づいて説明する。
【００２１】
［第１の実施形態］ 
図１は、一実施形態の移動体通信システムの概略を示すブロック図である。なお、本説明では、第３．５世代、第３．９世代移動体通信システムを用いて発明を説明するが、本発明はこの世代に限定されるものではない。また、移動体通信システムの無線アクセスネットワーク（ＲＡＮ：Radio Access Network）に関連する説明およびユーザ端末の一般的動作に関連する説明は省略する。
【００２２】
移動体通信システムは、数多くの移動体ユーザ端末（以下、単にユーザ端末と記す）に移動体通信サービスを提供する。本実施形態に係る移動体通信システム１は、移動体通信システムの交換システム１０と共に、管理サーバ２０と、事業者電話番号ＤＢサーバ３０（データベース）を具備する。この移動体通信システム１は一通信事業者の設備である。
【００２３】
第３．５世代移動体通信システムの交換システム１０は、移動交換局（ＭＳＣ：Mobile Switching Center）や、ゲートウェイ移動交換局（ＧＭＳＣ：Gateway MSC）、パケットゲートウェイノード（ＧＧＳＮ：Gateway GPRS Support Node）、ホームロケーションレジスタ（ＨＬＲ：Home Location Register  ）、パケットアクセス制御ノード（ＳＧＳＮ：Serving GPRS Support Node）、ＳＩＰサーバ（Session Initiation Protocol Server）などで構成されて、コアネットワークやＩＭＳ（IP Multimedia Subsystem）ネットワークとして働く。
【００２４】
第３．９世代移動体通信システムであれば、図示された交換システム１０は、ＥＰＣ（Evolved Packet Core）として働く、ＭＭＥ（Mobility Management Entity），Ｓ−ＧＷ（Serving Gateway）、Ｐ−ＧＷ（PDN Gateway）、ＨＳＳ（Home Subscriber Server）などを含んでいる。また、交換システム１０は、必要に応じてＣＳフォールバックして、ＣＳドメイン（Circuit Switched domain）を構築している各ノードと連携する。
【００２５】
交換システム１０は、ユーザ端末１００からの発呼若しくはＳＭＳ等による送信を識別した際に、小桁電話番号への着信であったならば、管理サーバ２０に着信を通知するように構成されている。より具体的には、ＭＮＣ、ＳＧＳＮ、ＧＧＳＮ、ＨＬＲ、ＳＩＰサーバ等が連動して、呼若しくはＳＭＳ等のメッセージを通過させて、管理サーバ２０に着信を通知する。なお以下では、電話番号（電話機能）による発呼とＳＭＳ等によるメッセージ送信をまとめて発信とも記載する。本実施形態では全て小桁電話番号の利用を前提に説明するが、サービスによっては既存の電話番号桁数よりも増やした桁数の番号（大桁電話番号）を用いることとしてもよい。以下の説明では、大桁電話番号については、適宜 小桁電話番号を大桁電話番号に読み替えればよいため記載を省略する。
【００２６】
なお、交換システム１０（ＳＩＰサーバ等）は、既存電話番号体系によらない小桁電話番号について、事業者がサービスに使用する番号として予め識別するように構成される。
【００２７】
また、交換システム１０は、任意のユーザ端末１００からの小桁電話番号によるコンテンツへのアクセス要求を受けて、その応答としてアクセス先を折り返した後に、その端末からの通知されたアクセス先への接続要求を識別した場合、管理サーバ２０に通知するように構成してもよい。
【００２８】
管理サーバ２０は、ユーザ端末１００に、後述する事業者電話番号ＤＢサーバ３０に記録されている任意のアドレス（リンク）を発信元ユーザ端末１００に通知可能に構成されている。この通知は、ＳＭＳで通知してもよいし、電子メールや、ＯＳ（Operating System）のメッセージサービス、任意アプリケーションのメッセージサービスで通知することとしてもよい。また、ユーザ端末１００側に専用アプリケーションを準備して、管理サーバ２０とユーザ端末１００間で接続中の音声通信を介してアドレスを受け渡すこととしても構わない。また、必要に応じてアドレスを発信者情報や加入者情報、発信時間などに合わせて識別子（付加アドレス）を記載するようにしてもよい。また、通知内に必要に応じてアドレスと共にメッセージ（コメントや案内など）を記載するようにしてもよい。
【００２９】
また、管理サーバ２０は、交換システム１０からの小桁電話番号への着信の通知を識別した際に、その所定桁数の所定電話番号に対応付けられた任意のアドレスを事業者電話番号ＤＢサーバ３０から抽出処理し、発信ユーザ端末１００に対する上記通知を実行する。また、事業者電話番号ＤＢサーバ３０は、既存電話番号体系の所定電話番号についても小桁電話番号への着信と同様に取り扱えるようにすればよい。
【００３０】
この際、管理サーバ２０は、交換システム１０から受け付けた小桁電話番号への着信通知に関して、発信ユーザ端末１００の加入者情報を自移動体通信ノード（ＨＬＲやＨＳＳなど）から参照して 所定条件を満たした場合に、該当アドレスを通知するように動作してもよい。この所定条件としては、年齢層、性別、料金体系、過去の支払い状況、それらの組み合わせなどを適宜設定条件に採用すればよい。
【００３１】
同様に、所定条件の設定に、事業者コードや在圏エリアを採用してもよい。また、加入者情報と共に事業者コードや在圏エリアを使用する条件を採用可能にしてもよい。加入者情報等は、予め／適時 事業者電話番号ＤＢサーバ３０内に準備／更新しておくこととしても良いものの、ＨＬＲ、ＨＳＳ等から直接取得できるようにする形態を取ることも可能である。これらの情報は、ＶＬＲ（Visitor Location Register）がネットワーク内に在れば、ＶＬＲから取得するようにしてもよい。このことで、ユーザ端末１００の物理的に存在する位置や、通信事業者設備を借り受ける通信事業者の加入者の区分を、サービスに反映させ得るようになる。
【００３２】
事業者電話番号ＤＢサーバ３０は、小桁電話番号（用途においては大桁電話番号）と ユーザ端末から着信を受けた際に当該ユーザ端末にアクセスさせる任意の１ないし複数のアドレス（ＵＲＬ等のリンク）と を対応付けて記録したデータベースである。このデータベースは、１つのサーバとして設けなくとも、システムがアクセスできればどのような形態であってもよい。
【００３３】
小桁電話番号は、例えば、先頭に数値“１”を含まない３桁、若しくは、４桁の番号、若しくは、先頭に記号“＃”を含まない５桁を用いることができる。また、８桁の番号を使用することもできる。即ち、既存電話番号体系において、使用できない電話番号（未使用番号）がアドレスと対応付けて事業者電話番号ＤＢサーバ３０に記録されている。未使用番号は、前述したように、通常使用されている１ＸＹ特番以外の小桁電話番号であっても良いし、３桁を超える桁数の電話番号であって、既存電話番号体系では使用されていない電話番号であってもよい。更には、“＃”や“＊”文字を中間（例えば２桁目や３桁目）に含む電話番号であってもよい。この種の既存電話番号体系で使用できない電話番号がユーザ端末、即ち、移動体ユーザ端末から移動体通信システムに送信されて用いられる。
【００３４】
次に、本発明に係る移動体通信システムの動作を説明する。
【００３５】
図２は、第１の実施形態の移動体通信システムの動作例を示すシーケンス図である。本例は、ユーザが４桁の小桁電話番号を電話機能で発呼して、対応付けられていたアドレスを取得する際のシステム動作を示す。
【００３６】
まず、ユーザ端末１００（代表的にはスマートフォン）は、小桁電話番号を発呼する（Ｓ１０１）。本例では、小桁電話番号として４桁の数字列である“１１１１”を発呼する。この小桁電話番号は、予め事業者電話番号ＤＢサーバ３０にアクセス先と対応付けられて登録されている。
【００３７】
この発呼を受けて交換システム１０は、小桁電話番号を識別し、管理サーバ２０に当該小桁電話番号による発呼を通知する（Ｓ１０２）。この通知には、発呼者番号等が紐付いている。
【００３８】
通知を受けた管理サーバ２０は、事業者電話番号ＤＢサーバ３０に小桁電話番号“１１１１”に関連付けられたアドレスを問い合わせ（Ｓ１０３）、そのアドレスをユーザ端末１００にＳＭＳやメッセージ通知等で通知する（Ｓ１０４）。どの通知手法で通知するかは、予めサービス管理者が定めても良いし、ユーザが任意に選べるようにしてもよい。
【００３９】
このＳＭＳ等の通知によってユーザ端末１００は、小桁電話番号“１１１１”に関連付けられていたアドレスを受け付け（Ｓ１０５）、任意に使用可能になる。例えば、自動アクセス設定を有効にしていれば、ユーザ端末１００は、通知されたアドレス先のコンテンツを画面上に表示するように動作する。また単純に、ユーザ端末１００は、ユーザに対して通知されたメッセージやＳＭＳを通知するのみとしても構わない。通知を受けたユーザは必要に応じて自ら通知されたアドレス（リンク）へのアクセスを行える。
【００４０】
多くの場合、ユーザ端末１００は、移動体通信サービス（交換システム１０）を介して通知されたアドレスにアクセスする。交換システム１０は、ユーザ端末１００と宛先のＷＥＢサーバや動画配信サーバ等との通信を中継する。この際、交換システム１０は、ユーザ端末１００の折り返し（通知アドレスへのアクセス）を識別して、管理サーバ２０にこの折り返しを通知することを行ってもよい（図中のＳ１０６）。この処理動作は、例えばパケットアクセス制御ノードが受け持つこととすることができる。また、第３．９世代であれば、上記処理動作はＰ−ＧＷが受け持つこととすることができる。Ｐ−ＧＷが受け持つことで、ユーザ端末１００のセル移動とＰＣＲＦ（Policy and Charging Rules Function）による課金機能との連携の両立が図りやすい。ただし、移動体通信システムの折り返しを識別するノードを特に限定するものではない。
【００４１】
管理サーバ２０は、交換システム１０からのユーザ端末１００の通知アドレスへのアクセスを必要に応じて収集・管理する（Ｓ１０７）。例えば、小桁電話番号で広告サイトにアクセスさせるように設定されたサービスであれば、本機能による広告効果がこの段階で測定できる。また例えば、管理サーバ２０は、宛先であるＷＥＢサーバ等にコンテンツ送信（ユーザ端末１００への応答）を許可する通知や動画の最適なコーデックや解像度の送信、ＤＲＭ（Digital Rights Management）処理するような提供サービスを構築してもよい。例えば、管理サーバ２０は、年齢や任意サービスの加入状況、地域、端末種別、通信回線状況などを条件に、コンテンツの選別や年齢認証、動画配信の調整などを実行してもよい。この際、必要に応じて管理サーバ２０は、移動体通信キャリアが有する加入者情報等の所要情報にアクセスすればよい。
【００４２】
図３は、事業者電話番号ＤＢサーバ３０に準備されるデータベース例を可視的に示した説明図である。このデータベースには、所定桁数の電話番号とその紐付け先となる１ないし複数のアドレスが記録される。このアドレスは、サービスサーバのＵＲＬやＩＰアドレス、リダイレクトサーバのＵＲＬ等、所要要求に合わせてユーザに折り返したいアドレスを適宜設定すればよい。また、様々な条件を併せて記録可能にすることが望ましい。条件としては、年齢、加入サービス、時間帯、地域、端末種別など使用サービスに合わせて任意に設定すればよい。また、事業者電話番号ＤＢサーバ３０に本所定桁数の電話番号を用いるサービスの利用者情報を収集したデータベースを設けることとしてもよい。
【００４３】
図４は、小桁電話番号による広告サイトへの誘導を例示した説明図である。 
この例は、新製品の情報をスマートフォン用に作り上げた広告戦略を取った際に、テレビや紙媒体にユーザにアクセスを促す販促活動を展開するときの情報（表示／印刷）を想定する。一般に用いられているＵＲＬの表示／印刷よりも Ａ社の加入者ユーザは４桁の番号の発信を行うことによって より簡便に対象広告サイトにアクセスできる。
【００４４】
図５は、同様に小桁電話番号による広告サイトへの誘導を例示した説明図である。 
この例の場合、広告主は、小桁電話番号と既存電話番号体系の両方を用いた発信によりユーザ端末を所定サイトにアクセスさせるサービスを展開する。この場合でも、既存電話番号体系による所定通信先へのアクセスよりも、Ａ社の加入者ユーザはより簡便に広告サイトにアクセスできる。
【００４５】
このように、本発明は、ユーザ端末を介して加入者ユーザに、既存電話番号体系で使用されていない所定桁数の所定電話番号を用いて、サービス提供者側が設定したアドレスにアクセス可能にサービスを構築できる。また、本発明は、移動体通信事業者として保持している各種情報を条件付けに使用可能にサービスを構築できる。
【００４６】
［他の実施形態］ 
次に、機能を拡張した実施形態を説明する。第１の実施形態は、任意の一移動体事業者の移動体系通信設備に本発明を利用する場合を想定している。別の観点から説明すれば、一移動体事業者が事業者電話番号ＤＢサーバ３０（データベース）を準備して、サービスを提供することを想定している。しかし、現状 複数の移動体事業者が併存する。このため、ある事業者が設置した事業者電話番号ＤＢサーバ３０には、他事業者はアクセスできない。また、現状アクセスを許容する仕組みもない。そこで、以下では、他移動体通信事業者のユーザにもサービス展開を可能にする仕組みを説明する。
【００４７】
［第２の実施形態］ 
図６は、第２の実施形態の移動体通信網の概略を示すブロック図である。本第２の実施形態では、移動体通信システム１で提供するサービスを他事業者加入ユーザ（移動体通信システム２の加入者）にも提供可能にする。
【００４８】
移動体通信システム２（以下、第２の移動体通信システムとも呼ぶ）の交換システムは、移動体通信システム１（以下、第１の移動体通信システムとも呼ぶ）の交換システム１０とゲートウェイを介して接続されている。また、移動体通信システム２の交換システムは、インターネットを介して各サービスサーバとも接続されている。ここで、第１の移動体通信システムの通信事業者と第２の移動体通信システムの通信事業者とは異なる。
【００４９】
本実施形態で移動体通信システム２のユーザは、任意のタイミングで移動体通信システム１が提供する小桁電話番号を利用するサービスを使用しようと考えたとする。このユーザは、加入事業者が異なるため、そのままの状態では小桁電話番号を利用するサービスを使用できない。このため、ユーザ端末１００（ユーザ）は、第１の移動体通信システムの事業者が提供する小桁電話番号による任意のアドレスを通知するサービス に向けて発信する発信手段を構築する。この場合、任意の手法で案内された小桁電話番号を利用可能にするためのプログラムがユーザ端末１００に導入される。このプログラムは、アプリケーションとして提供されてもよいし、プラグイン形式で提供してもよく、特にその手法は問わない。また予め各通信事業者が他通信事業者用のプログラムをユーザ端末１００に組み入れるようにしてもよい。
【００５０】
この発信手段は、ユーザから小桁電話番号による電話機能やＳＭＳ機能等による発信操作を受け付けた際に、ユーザ端末１００の使用する事業者コードを識別して、識別した事業者コードに合わせて動作を変更する。事業者コードは、ユーザ端末１００が予め交換システム若しくはＳＩＭ（Subscriber Identity Module）から取得すればよい。識別した事業者コードが移動体通信システム１の事業者コード（サービスを提供する事業者）であれば、小桁電話番号による発信をそのまま実行する。一方、識別した事業者コードが移動体通信システム１の事業者コードと異なれば、入力された小桁電話番号を 予め定めたプレフィックス用いて 既存電話番号体系に自動的に桁合わせして移動体通信システムに向けて発信を実行する。このプレフィックスは、例えば無課金であれば０１２０番号などの番号体系に沿って始まり、且つ事業者間の接続可能な電話番号に、小桁電話番号を変更する。このことで、ユーザがどの事業者と契約していた場合も電話もしくはＳＭＳ等で入力する番号列は小桁電話番号のみ済む。この結果、他の通信事業者に加入しているユーザに対しても小桁電話番号等による利便性が提供できる。
【００５１】
図７は、第２の実施形態の移動体通信網における移動体通信システム１及び移動体通信システム２等の動作例を示すシーケンス図である。本例は、他事業者加入ユーザが４桁の小桁電話番号を電話機能で発呼して、対応付けられていたアドレスを取得する際のシステム動作を示す。
【００５２】
まず、移動体通信システム２の加入者であるユーザ端末１００（上記発信手段）は、小桁電話番号の入力を識別すると共に、当該ユーザ端末１００の加入事業者を参照して電話番号を既存電話番号体系に揃えて発呼する（Ｓ２０１）。本例では、小桁電話番号として４桁の数字列である“１１１１”の入力を受けた際に、“０１２０ＡＡＡＡ１１１１”を発呼する。この発呼を受けてユーザ端末１００の加入通信事業者の設備（第２の移動体通信システム）は、呼を交換システム１０に中継する（Ｓ２０２）。
【００５３】
交換システム１０は、小桁電話番号を含む電話番号を受信し（Ｓ２０３）、小桁電話番号を識別（Ｓ２０４）して管理サーバ２０に当該小桁電話番号による発呼を通知する（Ｓ２０４）。
【００５４】
後の動作は第１の実施形態と同様であり、管理サーバ２０は、事業者電話番号ＤＢサーバ３０から関連付けられたアドレスを取得してユーザ端末１００に通知する（Ｓ２０５からＳ２０９）。この際、後の動作は第１の実施形態と同様に加入者情報や事業者コード、在圏エリア等を用いて通知するアドレスの変更等を実施することとしてもよい。
【００５５】
また、管理サーバ２０は、図示するようにユーザ端末１００のこの発信手段から通知アドレスへのアクセスを所望なように収集・管理するようにしてもよい（Ｓ２０９，Ｓ２１０）。
【００５６】
図８は、第２の実施形態の移動体通信網における小桁電話番号による広告サイトへの誘導を例示した説明図である。この例の場合、広告主は、小桁電話番号と既存電話番号体系の両方を用いた発信によりユーザ端末を所定サイトにアクセスさせるサービスを展開する。また、専用プログラムを導入することで、小桁電話番号を他社ユーザであっても使用できることを記載している。
【００５７】
先行技術文献にあるような 特定の電話番号に電話するだけでその電話番号にリンクされたＷｅｂサイトへアクセスする仕組みは、移動体通信事業者の加入者情報を利用することは出来ず、また時々刻々と変化する端末移動や在圏位置などにも対応できない。また、既存電話番号体系に基づく電話番号は、０ＡＢ−Ｊ番号や０１２０番号、０８００番号などの１０桁程度の数字になり、暗記することも難しい。
【００５８】
一方、上記実施形態で説明したように、桁数を任意に変更した電話番号を用いることで、例えば３桁や４桁の電話番号などを利用することが可能になる。また、大桁電話番号も所要に使用できることになる。大桁電話番号の使用によれば、例えば所定プレフックスにランダムな６桁数字をユーザに入力させるようなサービスも提供可能になる。この結果、移動体通信事業者、若しくは連携する事業者が提供する電話番号に係る仕組みの自由度が増し、様々なサービスを構築可能になる。このように移動体通信システムの交換システムと管理サーバとが連携することで、所定桁数の所定電話番号を使用可能できる。
【００５９】
以上説明したように、本発明によれば、既存電話番号体系によらない空き番号を用いた発信によりユーザ端末を所定通信先にアクセスさせる移動体通信サービスを実現する移動体通信システムを提供できる。
【００６０】
尚、管理サーバや事業者電話番号ＤＢサーバ等の各部は、コンピュータシステムのハードウェアとソフトウェア、仮想化技術の組み合わせを適宜用いて実現すればよい。このコンピュータシステムは、所望形態に合わせた、１ないし複数のプロセッサーとメモリーを含む。また、このコンピュータシステムの形態では、各部は、上記メモリーに本発明用のプログラムが展開され、このプログラムに基づいて１ないし複数のプロセッサー等のハードウェアを実行命令群やコード群で動作させることによって、実現すればよい。この際、必要に応じて、このプログラムは、オペーレティングシステムや、マイクロプログラム、ドライバなどのソフトウェアが提供する機能と協働して、各部を実現することとしてもよい。
【００６１】
メモリーに展開されるプログラムデータは、プロセッサーを１ないし複数の上述した各部として動作させる実行命令群やコード群、テーブルファイル、コンテンツデータなどを適宜含む。
【００６２】
また、このプログラムは、記録媒体に非一時的に記録されて頒布されても良い。当該記録媒体に記録されたプログラムは、有線、無線、又は記録媒体そのものを介してメモリーに読込まれ、プロセッサー等を動作させる。
【００６３】
尚、本明細書では、記録媒体には、類似するタームの記憶媒体やメモリー装置、ストレージ装置なども含むこととする。この記録媒体を例示すれば、オプティカルディスクや磁気ディスク、半導体メモリー装置、ハードディスク装置、テープメディアなどが挙げられる。また、記録媒体は、不揮発性であることが望ましい。また、記録媒体は、揮発性モジュール（例えばRAM：Random Access Memory）と不揮発性モジュール（例えばROM：Read Only Memory）の組み合わせを用いることとしてもよい。
【００６４】
なお、実施形態を例示して本発明を説明した。しかし、本発明の具体的な構成は前述の実施形態に限られるものではなく、この発明の要旨を逸脱しない範囲の変更があってもこの発明に含まれる。例えば、上述した実施形態及び／又は実施例のブロック構成の分離併合、手順の入れ替えなどの変更は本発明の趣旨および説明される機能を満たせば自由であり、上記説明が本発明を限定するものではない。
【００６５】
また、上記の実施形態の一部又は全部は、以下のようにも記載されうる。尚、以下の付記は本発明をなんら限定するものではない。  
［付記１］
既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースと、
前記所定桁数の所定電話番号を受けて、前記データベースに記録されている該所定電話番号に対応したアドレスをユーザ端末に通知する管理サーバと、
ユーザ端末からの発信を識別した際に、前記所定桁数の所定電話番号への着信であったならば、前記管理サーバに該着信を通知する移動体通信システムの交換システムと、
を含み、
前記管理サーバは、前記交換システムから受け付けた所定桁数の所定電話番号への着信の通知を識別した際に、該所定桁数の所定電話番号に対応付けられたアドレスを前記データベースから抽出し、抽出したアドレスを前記ユーザ端末に通知する
ことを特徴とする移動体通信システム。
【００６６】
［付記２］
前記ユーザ端末は、任意の移動体通信事業者が提供する所定桁数の所定電話番号による任意のアドレスを通知するサービス に向けて発信する発信手段を具備し、
前記発信手段は、
ユーザから所定桁数の所定電話番号による発信操作を受け付けた際に、該ユーザ端末の使用する事業者コードを識別して、識別した事業者コードが前記任意の移動体通信事業者の事業者コードであれば、所定桁数の所定電話番号による発信を実行する一方、
識別した事業者コードが前記任意の移動体通信事業者の事業者コードと異なれば、入力された所定桁数の所定電話番号を 予め定めたプレフィックス用いて 既存電話番号体系に桁合わせして発信を実行する
ことを特徴とする上記付記記載の移動体通信システム。
【００６７】
［付記３］
前記交換システムは、ＳＩＰサーバによって、前記所定桁数の所定電話番号への発信を識別し、前記所定桁数の所定電話番号への着信であったならば、前記管理サーバに該着信を通知することを特徴とする上記付記記載の移動体通信システム。
【００６８】
［付記４］
前記管理サーバは、前記交換システムから受け付けた所定桁数の所定電話番号への着信の通知を識別した際に 識別した着信の発信ユーザ端末の加入者情報を参照して 所定条件を満たした場合に、該発信ユーザ端末に前記所定電話番号に対応付けられたアドレスを通知することを特徴とする上記付記記載の移動体通信システム。
【００６９】
［付記５］
前記管理サーバは、前記交換システムから受け付けた所定桁数の所定電話番号への着信の通知を識別した際に 識別した着信の発信ユーザ端末の事業者コード及び在圏エリアを参照して 所定条件毎に、該発信ユーザ端末に前記所定電話番号に対応付けられたアドレスを通知することを特徴とする上記付記記載の移動体通信システム。
【００７０】
［付記６］
前記所定桁数の所定電話番号は、先頭に数値“１”を含まない３桁、若しくは、４桁の番号、若しくは、先頭に記号“＃”を含まない５桁であることを特徴とする上記付記記載の移動体通信システム。
【００７１】
［付記７］
前記交換システムは、任意のユーザ端末からの前記所定桁数の所定電話番号によるコンテンツ要求に対して、アクセス先を折り返した後に、該ユーザ端末からの通知したアクセス先への接続要求を識別した場合、前記管理サーバに該アクセスを通知することを特徴とする上記付記記載の移動体通信システム。
【００７２】
［付記８］
前記ユーザ端末は、前記事業者コードを予め前記交換システム若しくはＳＩＭから取得することを特徴とする上記付記記載の移動体通信システム。
【００７３】
［付記９］
移動体通信サービスの提供を受けるユーザ端末からの発信を識別した際に既存電話番号体系によらない所定桁数の所定電話番号への着信であったならば該着信を通知する移動体通信システムの交換システム から受け付けた所定桁数の所定電話番号への着信の通知を識別した際に、
前記ユーザ端末に、所定桁数の所定電話番号と ユーザ端末から着信を受けた際に当該ユーザ端末にアクセスさせる任意の１ないし複数のアドレスと を対応付けて記録したデータベースを参照して、該当所定桁数の所定電話番号に対応付けられたアドレスの何れかを前記データベースから抽出し、発信ユーザ端末に抽出したアドレスを通知する
ことを特徴とする管理サーバ。
【００７４】
［付記１０］
前記管理サーバは、前記交換システムから受け付けた所定桁数の所定電話番号への着信の通知を識別した際に 識別した着信の発信ユーザ端末の加入者情報を参照して 所定条件を満たした場合に、該発信ユーザ端末に前記所定電話番号に対応付けられたアドレスを通知することを特徴とする上記付記記載の管理サーバ。
【００７５】
［付記１１］
前記管理サーバは、前記交換システムから受け付けた所定桁数の所定電話番号への着信の通知を識別した際に 識別した着信の発信ユーザ端末の事業者コード及び在圏エリアを参照して 所定条件毎に、該発信ユーザ端末に前記所定電話番号に対応付けられたアドレスを通知することを特徴とする上記付記記載の管理サーバ。
【００７６】
［付記１２］
前記所定桁数の所定電話番号は、先頭に数値“１”を含まない３桁、若しくは、４桁の番号、若しくは、先頭に記号“＃”を含まない５桁であることを特徴とする上記付記記載の管理サーバ。
【００７７】
［付記１３］
既存電話番号体系によらない所定桁数の所定電話番号と 移動体通信サービスを受けるユーザ端末から着信を受けた際に当該ユーザ端末にアクセスさせる任意の１ないし複数のアドレスと を対応付けて記録したデータベースを具備する ユーザ端末に移動体通信サービスを提供する移動体通信システムで実行され、
前記移動体通信システムの交換システムは、ユーザ端末からの発信を識別した際に、前記所定桁数の所定電話番号への着信であったならば、前記データベースに記録されている任意のアドレスを該当ユーザ端末に通知する管理サーバに該着信を通知し、
前記管理サーバは、前記交換システムから受け付けた所定桁数の所定電話番号への着信の通知を識別した際に、該所定桁数の所定電話番号に対応付けられたアドレスを前記データベースから抽出し、発信ユーザ端末に抽出したアドレスを通知する
ことを特徴とする移動体通信システムの制御方法。
【００７８】
［付記１４］
前記ユーザ端末は、任意の移動体通信事業者が提供する所定桁数の所定電話番号による任意のアドレスを通知するサービス に向けて発信する発信手段を具備し、
前記発信手段は、
ユーザから所定桁数の所定電話番号による発信操作を受け付けた際に、該ユーザ端末の使用する事業者コードを識別して、識別した事業者コードが前記任意の移動体通信事業者の事業者コードであれば、所定桁数の所定電話番号による発信を実行する一方、
識別した事業者コードが前記任意の移動体通信事業者の事業者コードと異なれば、入力された所定桁数の所定電話番号を 予め定めたプレフィックス用いて 既存電話番号体系に桁合わせして発信を実行する
ことを特徴とする上記付記記載の移動体通信システムの制御方法。
【００７９】
［付記１５］
前記交換システムは、ＳＩＰサーバによって、前記所定桁数の所定電話番号への発信を識別し、前記所定桁数の所定電話番号への着信であったならば、前記管理サーバに該着信を通知することを特徴とする上記付記記載の移動体通信システムの制御方法。
【００８０】
［付記１６］
前記管理サーバは、前記交換システムから受け付けた所定桁数の所定電話番号への着信の通知を識別した際に 識別した着信の発信ユーザ端末の加入者情報を参照して 所定条件を満たした場合に、該発信ユーザ端末に前記所定電話番号に対応付けられたアドレスを通知することを特徴とする上記付記記載の移動体通信システムの制御方法。
【００８１】
［付記１７］
前記管理サーバは、前記交換システムから受け付けた所定桁数の所定電話番号への着信の通知を識別した際に 識別した着信の発信ユーザ端末の事業者コード及び在圏エリアを参照して 所定条件毎に、該発信ユーザ端末に前記所定電話番号に対応付けられたアドレスを通知することを特徴とする上記付記記載の移動体通信システムの制御方法。
【００８２】
［付記１８］
前記所定桁数の所定電話番号は、先頭に数値“１”を含まない３桁、若しくは、４桁の番号、若しくは、先頭に記号“＃”を含まない５桁であることを特徴とする上記付記記載の移動体通信システムの制御方法。
【００８３】
［付記１９］
前記交換システムは、任意のユーザ端末からの前記所定桁数の所定電話番号によるコンテンツ要求に対して、アクセス先を折り返した後に、該ユーザ端末からの通知したアクセス先への接続要求を識別した場合、前記管理サーバに該アクセスを通知することを特徴とする上記付記記載の移動体通信システムの制御方法。
【００８４】
［付記２０］
前記ユーザ端末は、前記事業者コードを予め前記交換システム若しくはＳＩＭから取得することを特徴とする上記付記記載の移動体通信システムの制御方法。
【符号の説明】
【００８５】
１，２  移動体通信システム
１０  交換システム
２０  管理サーバ
３０  事業者電話番号ＤＢサーバ（データベース）
１００  ユーザ端末
【図１】
2017224921.tif 000003
【図２】
2017224921.tif 000004
【図３】
2017224921.tif 000005
【図４】
2017224921.tif 000006
【図５】
2017224921.tif 000007
【図６】
2017224921.tif 000008
【図７】
2017224921.tif 000009
【図８】
2017224921.tif 000010